(57)【要約】【課題】保守点検用のデータを収集しているときに端末装置の盗難を防ぎ、保守員が端末装置から離れた場所で他の作業を進めることができるようにする。【解決手段】一実施形態に係る保守点検システムは、エレベータ制御装置２１に通信接続して保守点検に必要なデータを収集する保守端末２２を備え、データ収集中にエレベータ制御装置２１と保守端末２２との間の通信が遮断された場合に保守端末２２のブザー機能を起動する。【選択図】      図１
2018118819.tif 000002
【特許請求の範囲】
【請求項１】
昇降機の制御装置に通信接続して保守点検に必要なデータを収集する第１の端末装置を備えた保守点検システムにおいて、
データ収集中に上記制御装置と上記第１の端末装置との間の通信が遮断されたことを検出する通信遮断検出手段と、
この通信遮断検出手段によって上記制御装置と上記第１の端末装置との間の通信遮断が検出された場合に上記第１の端末装置のブザー機能を起動するブザー起動手段と
を具備したことを特徴とする保守点検システム。
【請求項２】
上記第１の端末装置のブザー機能が起動されたときに、保守員が持つ第２の端末装置に異常通知を行う異常通知手段をさらに具備したことを特徴とする請求項１記載の保守点検システム。
【請求項３】
上記第２の端末装置から停止指示信号を上記第１の端末装置に送信することで、上記第１の端末装置のブザー機能を解除するブザー解除手段をさらに具備したことを特徴とする請求項２記載の保守点検システム。
【請求項４】
上記第１の端末装置の位置を検出する位置検出手段をさらに備え、
上記異常通知手段は、
上記第１の端末装置のブザー機能が起動されたときに、保守員が持つ第２の端末装置に異常通知と共に上記位置検出手段によって検出された上記第１の端末装置の位置を上記第２の端末装置に通知することを特徴とする請求項２記載の保守点検システム。
【請求項５】
上記第１の端末装置のブザー機能が起動されたときに、発生日時と設置場所をブザー発生の履歴情報として記録する記録手段をさらに具備したことを特徴とする請求項１記載の保守点検システム。
【請求項６】
昇降機の制御装置に通信接続して保守点検に必要なデータを収集する第１の端末装置を備えた保守点検システムにおいて、
データ収集中に上記制御装置と上記第１の端末装置との間の通信が遮断されたことを検出する通信遮断検出手段と、
上記第１の端末装置と保守員が持つ第２の端末装置との間で所定の範囲内で近距離無線通信を行う通信手段と、
この通信手段の通信状態から上記第１の端末装置の近くに保守員がいるか否かを判断する保守員判断手段と
上記通信遮断検出手段によって上記制御装置と上記第１の端末装置との間の通信遮断が検出されたとき、上記保守員判断手段によって上記第１の端末装置の近くに保守員がいないと判断された場合に、上記第１の端末装置のブザー機能を起動するブザー起動手段と
を具備したことを特徴とする保守点検システム。
【請求項７】
上記第１の端末装置のブザー機能が起動された状態で、上記保守員判断手段によって上記第１の端末装置の近くに保守員がきたと判断された場合に、上記第１の端末装置のブザー機能を解除するブザー解除手段をさらに具備したことを特徴とする請求項６記載の保守点検システム。
【発明の詳細な説明】
【技術分野】
【０００１】
本発明の実施形態は、エレベータやエスカレータ等の昇降機を保守点検するための保守点検システムに関する。
【背景技術】
【０００２】
昇降機の保守点検では、「保守端末」と呼ばれる保守点検用の端末装置を昇降機の制御装置に接続し、制御装置から運行データを収集する作業が行われる。この端末装置は、例えば携帯型のＰＣやタブレットなどからなり、盗難されやすい。このため、データ収集が完了するまでの間、保守員は端末装置の近くで作業しているのが現状である。
【先行技術文献】
【特許文献】
【０００３】
【特許文献１】特開平７−２０６３０１号公報
【特許文献２】特開２００４−１０６９８６号公報
【発明の概要】
【発明が解決しようとする課題】
【０００４】
例えば、昇降機の機械室内に端末装置を持ち込んでデータ収集する場合には盗難される可能性は少ない。機械室は、保守員以外の出入りが禁止されており、鍵をかけておくこともできるからである。しかし、例えばエレベータであれば、乗場や乗りかごなどのように、一般の利用者が行き交う場所に点検ボックスがある。この点検ボックスに設置されたコネクタに端末装置を接続してデータ収集作業を行う場合には、端末装置の盗難に注意して、その近くで作業を行う必要がある。
【０００５】
本発明が解決しようとする課題は、保守点検用のデータを収集しているときに端末装置の盗難を防ぎ、保守員が端末装置から離れた場所で他の作業を進めることのできる保守点検システムを提供することである。
【課題を解決するための手段】
【０００６】
一実施形態に係る保守点検システムは、昇降機の制御装置に通信接続して保守点検に必要なデータを収集する第１の端末装置を備える。
【０００７】
上記保守点検システムは、データ収集中に上記制御装置と上記第１の端末装置との間の通信が遮断されたことを検出する通信遮断検出手段と、この通信遮断検出手段によって上記制御装置と上記第１の端末装置との間の通信遮断が検出された場合に上記第１の端末装置のブザー機能を起動するブザー起動手段とを具備する。
【図面の簡単な説明】
【０００８】
【図１】図１は第１の実施形態に係るエレベータの乗場の構成を示す図である。
【図２】図２は第１の実施形態における保守点検システムの機能構成を示すブロック図である。
【図３】図３は第１の実施形態における第２の端末装置である携帯端末の機能構成を示すブロック図である。
【図４】図４は第１の実施形態における保守点検システムの処理動作を示すフローチャートであり、図４（ａ）は第１の端末装置である保守端末の処理、同図（ｂ）は第２の端末装置である携帯端末の処理を示している。
【図５】図５は第１の実施形態におけるブザー発生履歴テーブルの一例を示す図である。
【図６】図６は第２の実施形態における保守点検システムの機能構成を示すブロック図である。
【図７】図７は第２の実施形態における第２の端末装置である携帯端末の機能構成を示すブロック図である。
【図８】図８は第２の実施形態における保守点検システムの処理動作を示すフローチャートであり、図８（ａ）は第１の端末装置である保守端末の処理、同図（ｂ）は第２の端末装置である携帯端末の処理を示している。
【図９】図９は第３の実施形態における保守点検システムの機能構成を示すブロック図である。
【図１０】図１０は第３の実施形態における保守点検システムの処理動作を示すフローチャートであり、第１の端末装置である保守端末の処理を示している。
【発明を実施するための形態】
【０００９】
以下、図面を参照して実施形態を説明する。
【００１０】
（第１の実施形態）
図１は第１の実施形態に係るエレベータの乗場の構成を示す図である。
【００１１】
エレベータの乗場１１に乗場ドア１２と乗場操作盤１３が設置されている。乗場操作盤１３上には乗場呼びボタン１４が設けられている。この乗場呼びボタン１４の押下操作によって登録された乗場呼びは、エレベータ制御装置２１に送られる。これにより、エレベータ制御装置２１は、乗場呼びの登録階に図示せぬ乗りかごを応答させる。
【００１２】
ここで、特定の階の乗場１１に保守点検用のスイッチ等を有する点検ボックス１５が設けられている。この点検ボックス１５の中にコネクタ１６が設けられており、このコネクタ１６に第１の端末装置（以下、保守端末と称す）２２を接続することで、保守端末２２をエレベータ制御装置２１にデータ通信可能に接続できる。保守端末２２は、例えば携帯型のＰＣ（Personal Computer）あるいはタブレットなどからなり、保守点検専用機器として用いられる。
【００１３】
一方、保守員２０は、第２の端末装置（以下、携帯端末と称す）２３を持つ。携帯端末２３は、例えばスマートフォン等の通信端末機器からなり、電話やメール等の一般的な機能の他に保守点検に必要な各種機能が搭載されている。保守員２０は、この携帯端末２３を持ちながらエレベータの各箇所を点検する。
【００１４】
図２は保守点検システムの機能構成を示すブロック図である。
【００１５】
エレベータ制御装置２１は、「制御盤」とも呼ばれ、図示せぬ乗りかごの運転制御などを含むエレベータ全体の制御を行う。このエレベータ制御装置２１には、運行データ２１ａが記憶されている。なお、運行データ２１ａには、乗りかごの運行経路や乗場呼び，かご呼びの登録情報，各種エラー情報などが含まれており、これらの情報がコード化されてエレベータ制御装置２１内の図示せぬ記憶装置に記憶されている。
【００１６】
保守端末２２は、図１に示したように、特定の階の乗場１１に設けられた点検ボックス１５内のコネクタ１６を介してエレベータ制御装置２１に通信接続される。保守端末２２には、制御部３１、記憶部３２、ブザー音発生部３３、通信部３４が備えられている。
【００１７】
制御部３１は、ＣＰＵからなり、所定の制御プログラムの起動により保守端末２２に備えられた各種機能を実行する。本実施形態において、この制御部３１には、保守端末２２の盗難防止機能に関連した処理部として、通信遮断検出部３１ａ、ブザー起動部３１ｂ、異常通知部３１ｃ、ブザー解除部３１ｄが備えられている。
【００１８】
通信遮断検出部３１ａは、運行データの収集中にエレベータ制御装置２１と保守端末２２（第１の端末装置）との間の通信が遮断されたことを検出する。ブザー起動部３１ｂは、通信遮断検出部３１ａによって通信遮断が検出された場合に保守端末２２のブザー機能を起動する。
【００１９】
異常通知部３１ｃは、保守端末２２のブザー機能が起動されたことを保守員が持つ携帯端末２３（第２の端末装置）に通知する。ブザー解除部３１ｄは、携帯端末２３からの停止指示によって保守端末２２のブザー機能を解除する。
【００２０】
記憶部３２は、ＲＯＭ，ＲＡＭ等のメモリデバイスからなり、制御部３１の処理に必要なプログラムやデータが記憶されている。また、この記憶部３２には、エレベータ制御装置２１から収集した運行データ２１ａが収集日時と関連付けられて記憶される。
【００２１】
ブザー音発生部３３は、ブザー機能起動時にブザー音を発生する。通信部３４は、他の通信端末機器との間で通信ネットワークを介して無線通信を行う機能と、ペアリングした機器との間で所定の周波数帯の電波を利用した近距離無線通信を行う機能とを備える。近距離無線通信は、例えばＢｌｕｅｔｏｏｔｈ（登録商標）であり、所定の範囲内で無線通信を行う。
【００２２】
図３は第２の端末装置である携帯端末２３の機能構成を示すブロック図である。
【００２３】
携帯端末２３には、入力部４１、表示部４２、制御部４３、ブザー音発生部４４、記憶部４５、ＧＰＳ（Global Positioning System）モジュール４６、通信部４７などが備えられている。
【００２４】
入力部４１は、各種キーやボタンなどからなり、データの入力や指示を行う。表示部４２は、例えばＬＣＤからなり、データの表示を行う。なお、入力部４１として、例えば透明のタッチパネルを用い、表示部４２の画面上でデータ入力・指示を行う構成でも良い。
【００２５】
制御部４３は、ＣＰＵからなり、所定のプログラムの起動により携帯端末２３に備えられた各種機能を実行する。ブザー音発生部４４は、ブザー機能起動時にブザー音を発生する。
【００２６】
記憶部４５には、各種情報が記憶されている。この記憶部４５には、予め携帯端末２３を所持している保守員の名前、所属などを含む保守員情報が記憶されている。
【００２７】
ＧＰＳモジュール４６は、現在位置を検出するために用いられる。通信部４７は、上記通信部３４と同様に、他の通信端末機器との間で通信ネットワークを介して無線通信を行う機能と、ペアリングした機器との間で所定の周波数帯の電波を利用した近距離無線通信を行う機能とを備える。
【００２８】
ここで、本実施形態において、制御部４３には、保守端末２２の盗難防止機能に関連した処理部として、ブザー起動部４３ａ、ブザー解除部４３ｂが備えられている。 
ブザー起動部４３ａは、保守端末２２からの異常通知を受けたときに、携帯端末２３のブザー機能を起動する。ブザー解除部４３ｂは、第１の解除操作により携帯端末２３のブザー機能を解除し、第２の解除操作により保守端末２２にブザー停止信号を送って保守端末２２のブザー機能を解除する。
【００２９】
次に、第１の実施形態の動作について説明する。
【００３０】
図４は第１の実施形態における保守点検システムの処理動作を示すフローチャートであり、図４（ａ）は第１の端末装置である保守端末２２の処理、同図（ｂ）は第２の端末装置である携帯端末２３の処理を示している。
【００３１】
いま、図１に示したように、特定の階の乗場１１に設けられた点検ボックス１５内のコネクタ１６を介してエレベータ制御装置２１と保守端末２２との間でデータ通信可能な状態にあるとする。
【００３２】
所定の操作により、保守端末２２はエレベータ制御装置２１から運行データ２１ａの収集を開始し、記憶部３２に逐次格納する（ステップＡ１１）。この運行データ２１ａの収集には、例えば１０分程度の時間を要する。このデータ収集の間、保守端末２２に設けられた制御部３１は、保守端末２２とエレベータ制御装置２１との間の通信状態を監視している。
【００３３】
ここで、通常は保守員がデータ収集の完了を待ってから所定の操作により通信を遮断して保守端末２２をコネクタ１６から取り外す。しかし、データ収集中に所定の操作なしに保守端末２２とエレベータ制御装置２１との間の通信が遮断された場合（ステップＡ１２のＹｅｓ）、制御部３１は、保守員以外の人が保守端末２２をコネクタ１６から取り外したものと判断し、保守端末２２に備えられたブザー機能を起動する（ステップＡ１３）。なお、何らかの原因で一時的に通信が遮断されることもあるので、データ収集中に所定時間（例えば３０秒）以上連続して通信が遮断された場合に保守端末２２のブザー機能を起動するようにしても良い。
【００３４】
ブザー機能の起動により、ブザー音発生部３３から周囲に聞こえる大きさでブザー音が発生される。これにより、保守員は保守端末２２から離れた場所で他の作業をしていたとしても、ブザー音を聞いて直ぐに戻って来ることができる。また、保守端末２２を持ち去ろうとした人はブザー音に驚き、保守端末２２を置いていく可能性が高い。なお、ブザー音の発生に加えて、保守端末２２を振動させる構成としても良い。
【００３５】
また、保守端末２２のブザー機能が起動されたとき、制御部３１は、保守端末２２に異常が発生したことを示す異常検出信号を保守員が持つ携帯端末２３に送信する（ステップＡ１４）。なお、保守端末２２から携帯端末２３への異常検出信号の送信は、通信ネットワーク介して無線通信で行うことでも良いし、Ｂｌｕｅｔｏｏｔｈ（登録商標）等の近距離線通信で行うことでも良い。
【００３６】
携帯端末２３の制御部４３は、この異常検出信号を受信すると（ステップＢ１１のＹｅｓ）、携帯端末２３に備えられたブザー機能を起動して、ブザー音発生部４４からブザー音を発生させる（ステップＢ１２）。これにより、保守員が保守端末２２のブザー音が聞こえない場所で作業していたとしても、保守端末２２の異常を直ぐに気付くことができる。なお、ブザー音の発生に加えて、携帯端末２３を振動させる構成としても良い。
【００３７】
ここで、保守員が携帯端末２３のブザー機能を解除するための第１の解除操作を行うと（ステップＢ１３のＹｅｓ）、制御部４３は、ブザー音発生部４４にブザー停止信号を出力してブザー音の発生を停止させる（ステップＢ１４）。
【００３８】
また、保守端末２２のブザー機能については、保守員が携帯端末２３を通じて遠隔操作により解除することができる。すなわち、保守員が保守端末２２のブザー機能を解除するための第２の解除操作を行うと（ステップＢ１５のＹｅｓ）、制御部４３は、通信部４７を通じてブザー停止信号を保守端末２２に送信する（ステップＢ１６）。保守端末２２の通信部３４がこのブザー停止信号を受信したとき（ステップＡ１５のＹｅｓ）、制御部３１は、ブザー音発生部３３にブザー停止信号を出力してブザー音の発生を停止させる（ステップＡ１６）。なお、携帯端末２３から保守端末２２へのブザー停止信号の送信は、通信ネットワーク介して無線通信で行うことでも良いし、Ｂｌｕｅｔｏｏｔｈ（登録商標）等の近距離線通信で行うことでも良い。
【００３９】
このように第１の実施形態によれば、エレベータ制御装置２１に保守端末２２を通信接続してデータ収集しているときに両者間の通信が遮断された場合に保守端末２２に備えられたブザー機能が起動される。これにより、保守端末２２の盗難を防止することができ、保守員は保守端末２２から離れた場所で他の作業を進めることができる。
【００４０】
さらに、保守端末２２のブザー機能が起動されたときに、保守員が持つ携帯端末２３に対して異常通知があるので、保守員が保守端末２２のブザー音が聞こえない場所で作業していたとしても、異常を知って戻ることができる。
【００４１】
なお、例えば図５に示すようなブザー発生履歴テーブルＴ１を保守端末２２内の記憶部３２に設けておき、保守端末２２のブザー機能が起動されたときに、発生日時と設置場所をブザー発生の履歴情報として記録しておくことでも良い。発生日時は、保守端末２２に内蔵された時計機能から得られる。設置場所の情報は、図１に示したような保守端末２２をコネクタ１６に接続したときにエレベータ制御装置２１から得られる。このようなブザー発生の履歴情報を記録しておくことで、盗難の危険性が高い物件を把握できる。したがって、例えば盗難の危険性が高い物件では、データ収集が完了するまで、保守端末２２の近くで作業するなどの対策を取ることができる。
【００４２】
また、上記ステップＢ１１において、携帯端末２３が保守端末２２から送信された異常検出信号を受信した際に、通信ネットワークを介して図示せぬエレベータの監視センタに当該信号を転送することでも良い。これにより、監視センタ側でも保守端末２２のブザー機能が起動されたことを物件と関連付けて管理することができる。
【００４３】
（第２の実施形態）
次に、第２の実施形態について説明する。
【００４４】
第２の実施形態では、上記第１の実施形態の構成において、保守端末２２の位置を検出して保守員が持つ携帯端末２３に表示する構成を加えたものである。
【００４５】
図６は第２の実施形態における保守点検システムの機能構成を示すブロック図、図７は同実施形態における第２の端末装置である携帯端末２３の機能構成を示すブロック図である。なお、図６および図７において、上記第１の実施形態の図２および図３と同じ部分には同一符号を付して、その説明を省略するものとする。
【００４６】
第２の実施形態において、第１の端末装置である保守端末２２には、位置検出部３５が備えられている。位置検出部３５は、ＧＰＳモジュールからなり、保守端末２２の現在位置を検出する。制御部３１の異常通知部３１ｄは、保守端末２２のブザー機能が起動されたときに、保守員が持つ携帯端末２３に異常通知と共に上記位置検出部３５によって検出された保守端末２２の位置を携帯端末２３に通知する機能を有する。
【００４７】
一方、第２の端末装置である携帯端末２３の制御部４３には、保守端末２２の盗難防止機能に関連した処理部として、ブザー起動部４３ａ、ブザー解除部４３ｂの他に位置表示部４３ｃが備えられている。位置表示部４３ｃは、保守端末２２の現在位置を示す位置検出信号を受信したときに、その位置を所定の形式で表示する処理を行う。「所定の形式で表示する」とは、例えば所定サイズの地図を表示部４２に表示し、その地図上で保守端末２２の位置をマーク表示することである。
【００４８】
次に、第２の実施形態の動作について説明する。
【００４９】
図８は第２の実施形態における保守点検システムの処理動作を示すフローチャートであり、図８（ａ）は第１の端末装置である保守端末２２の処理、同図（ｂ）は第２の端末装置である携帯端末２３の処理を示している。なお、上記第１の実施形態における図４のフローチャートと同じ処理には同一ステップ番号を付し、ここでは異なる処理についてのみ説明する。
【００５０】
特定の階の乗場１１において、エレベータ制御装置２１に保守端末２２を通信接続した状態で、エレベータ制御装置２１から運行データ２１ａを収集する。データ収集中に通信が遮断されると、保守端末２２のブザー機能が起動される（ステップＡ１１〜Ａ１３）。このとき、保守端末２２から異常検出信号が携帯端末２３に送信され、この異常検出信号によって携帯端末２３のブザー機能も起動される（ステップＢ１１〜Ｂ１２）。
【００５１】
ここで、第２の実施形態では、保守端末２２のブザー機能が起動されたときに、保守端末２２の現在位置がＧＰＳによって検出され、保守端末２２から位置検出信号が携帯端末２３に無線通信により送信される（ステップＣ１１）。なお、保守端末２２から携帯端末２３への位置検出信号の送信は、通信ネットワーク介して無線通信で行うことでも良いし、Ｂｌｕｅｔｏｏｔｈ（登録商標）等の近距離線通信で行うことでも良い。
【００５２】
携帯端末２３では、この位置検出信号を受信することにより（ステップＣ１２のＹｅｓ）、保守端末２２の位置を所定の形式で表示部４２に表示する（ステップＣ１３）。具体的には、携帯端末２３に備えられた地図機能を起動して、保守端末２２の位置を含む所定サイズの地図を表示部４２に表示し、その地図上に保守端末２２の位置に示すマークを付加する。
【００５３】
以後の処理は上記第１の実施形態と同様であり、携帯端末２３での第１の解除操作により携帯端末２３のブザー機能が解除され（ステップＢ１３〜Ｂ１４）、第２の解除操作により保守端末２２にブザー停止信号が送信されて保守端末２２のブザー機能が解除される（ステップＢ１５〜Ｂ１６，ステップＡ１５〜Ａ１６）。
【００５４】
このように第２の実施形態によれば、保守端末２２のブザー機能が起動されたときに、保守員が持つ携帯端末２３に保守端末２２の位置が表示されるので、保守端末２２が乗場１１から持ち去られた場合に追跡することができる。
【００５５】
なお、携帯端末２３からの遠隔操作により、保守端末２２の記憶部３２に記憶されているデータの一部あるいは全部を消去するようにしても良い。これにより、保守端末２２の追跡が困難な場合に、保守点検に関係したデータが外部に流出することを防ぐことができる。
【００５６】
（第３の実施形態）
次に、第３の実施形態について説明する。
【００５７】
上記第１の実施形態では、保守員の位置に関係なく、データ収集中に通信が遮断されたときに保守端末２２のブザー機能を起動する構成とした。しかし、保守員が保守端末２２の近くで作業しているときには、保守端末２２を目視確認できるので、通信が遮断されたときに必ずしもブザー機能を起動する必要はない。しかし、保守員が保守端末２２から離れた場所で他の作業をしていると、保守端末２２を目視確認できないので、盗難にあってもわからない。そこで、第３の実施形態では、保守員の位置に応じてブザー機能を起動し、さらに、ブザー機能を解除する場合も、携帯端末２３からの指示操作ではなく、保守員の位置に応じて自動解除する構成とする。
【００５８】
図９は第３の実施形態における保守点検システムの機能構成を示すブロック図である。なお、図９において、上記第１の実施形態の図２と同じ部分には同一符号を付して、その説明を省略するものとする。
【００５９】
第３の実施形態において、第１の端末装置である保守端末２２の制御部３１には、保守端末２２の盗難防止機能に関連した処理部として、通信遮断検出部３１ａ、ブザー起動部３１ｂ、異常通知部３１ｃ、ブザー解除部３１ｄの他に保守員判断部３１ｅが備えられている。
【００６０】
保守員判断部３１ｅは、保守員が持つ携帯端末２３と保守端末２２との間の無線通信状態から保守端末２２の近くに保守員がいるか否かを判断する。ここで、携帯端末２３と保守端末２２とは予めペアリングされており、所定の範囲内でＢｌｕｅｔｏｏｔｈ（登録商標）等の近距離無線通信を行う。したがって、保守員判断部３１ｅは、保守端末２２と携帯端末２３が無線通信可能な状態のときに保守端末２２の近くに保守員がいると判断し、無線通信不可の状態のときに保守端末２２の近くに保守員がいないと判断する。
【００６１】
ここで、第３の実施形態において、ブザー起動部３１ｂは、通信遮断検出部３１ａによってエレベータ制御装置２１と保守端末２２との間の通信遮断が検出されたときに、保守員判断部３１ｅによって保守端末２２の近くに保守員がいないと判断された場合に、保守端末２２のブザー機能を起動する。また、ブザー解除部３１ｄは、保守端末２２のブザー機能が起動されている状態で、保守員判断部３１ｅによって保守端末２２の近くに保守員がいると判断された場合に、保守端末２２のブザー機能を解除する。
【００６２】
次に、第３の実施形態の動作について説明する。
【００６３】
図１０は第３の実施形態における保守点検システムの処理動作を示すフローチャートであり、第１の端末装置である保守端末２２の処理を示している。
【００６４】
上記第１の実施形態と同様に、特定の階の乗場１１に設けられた点検ボックス１５内のコネクタ１６を介してエレベータ制御装置２１と保守端末２２との間でデータ通信可能な状態にあるとする。
【００６５】
所定の操作により、保守端末２２はエレベータ制御装置２１から運行データ２１ａの収集を開始し、記憶部３２に逐次格納する（ステップＤ１１）。このデータ収集の間、保守端末２２に設けられた制御部３１は、保守端末２２とエレベータ制御装置２１との間の通信状態を監視している。
【００６６】
ここで、第３の実施形態では、データ収集が完了する前に、保守端末２２とエレベータ制御装置２１との間の通信が遮断された場合（ステップＤ１２のＹｅｓ）、制御部３１は、保守員が持つ携帯端末２３と保守端末２２との間の無線通信状態から保守端末２２の近くに保守員がいるか否かを判断する（ステップＤ１３）。
【００６７】
すなわち、携帯端末２３と保守端末２２は所定の通信範囲内で通信を行うので、通信可能な状態であれば、保守員が保守端末２２の近くにいると判断できる。一方、通信不可の可能であれば、保守員が保守端末２２の近くにいないと判断できる。つまり、保守員が保守端末２２から通信範囲外に離れていると判断できる。
【００６８】
保守端末２２とエレベータ制御装置２１との間の通信が遮断されたとき、保守員が保守端末２２の近くにいる場合には特に保守員に異常を知らせなる必要はない。しかし、保守員が保守端末２２の近くにいない場合には保守員にすぐに異常を知らせて対処する必要がある。そこで、携帯端末２３と保守端末２２との間の無線通信状態から保守端末２２の近くに保守員がいない判断された場合（ステップＤ１３のＹｅｓ）、制御部３１は、保守端末２２に備えられたブザー機能を起動する（ステップＤ１４）。
【００６９】
ブザー機能の起動により、ブザー音発生部３３から周囲に聞こえる大きさでブザー音が発生される。これにより、保守員は保守端末２２から離れた場所で他の作業をしていたとしても、ブザー音を聞いて直ぐに戻って来ることができる。また、保守端末２２を持ち去ろうとした人はブザー音に驚き、その場に保守端末２２を置いていく可能性が高い。なお、ブザー音の発生に加えて、保守端末２２を振動させる構成としても良い。
【００７０】
また、通信遮断によりブザー機能が起動されたとき、保守端末２２の制御部３１は、保守端末２２に異常が発生したことを示す異常検出信号を無線通信により携帯端末２３に送信する（ステップＡ１４）。なお、このときは保守員が保守端末２２の近くにいないので、携帯端末２３から保守端末２２への異常検出信号の送信は、通信ネットワーク介して無線通信で行うものとする。
【００７１】
携帯端末２３にもブザー機能が搭載されている。携帯端末２３の制御部４３は、この異常検出信号を受信したときにブザー機能を起動して、ブザー音発生部４４からブザー音を発生させる。これにより、保守員が保守端末２２のブザー音が聞こえない場所で作業していたとしても、保守端末２２の異常を直ぐに気付くことができる。なお、ブザー音の発生に加えて、携帯端末２３を振動させる構成としても良い。携帯端末２３のブザー機能は、保守員の操作により解除される。
【００７２】
ここで、第３の実施形態において、保守端末２２のブザー機能は、保守員の操作によるブザー停止信号の送信ではなく、保守員が保守端末２２に近付くことで解除できる。すなわち、保守員が携帯端末２３を持って保守端末２２に近付くと、携帯端末２３と保守端末２２との間で近距離無線通信が可能な状態になる。保守端末２２の制御部３１は、両者間の無線通信状態から保守端末２２の近くに保守員がきたことを検出すると（ステップＤ１６のＹｅｓ）、ブザー音発生部３３にブザー停止信号を出力してブザー音の発生を停止させる（ステップＤ１７）。
【００７３】
このように第３の実施形態によれば、データ収集中に通信が遮断された場合に、利用者が保守端末２２の近くにいない場合に保守端末２２のブザー機能を起動して保守員に異常を知らせることができる。これにより、保守員が保守端末２２から離れた場所で他の作業しているときに保守端末２２の盗難を防ぐことができる。また、保守員が保守端末２２に近付くだけで、ブザー機能を自動的に解除することができる。
【００７４】
なお、この第３の実施形態に上述した第２の実施形態を組み合わせて、保守端末２２の位置を検出して携帯端末２３に表示させる構成としても良い。
【００７５】
以上述べた少なくとも１つの実施形態によれば、保守点検用のデータを収集しているときに端末装置の盗難を防ぎ、保守員が端末装置から離れた場所で他の作業を進めることのできる保守点検システムを提供することができる。
【００７６】
なお、上記各実施形態では、特定の階の乗場１１に設置された点検ボックス１５内のコネクタ１６に保守端末２２を接続してデータ収集する場合を想定して説明したが、例えば乗りかご内に設置された点検ボックス内のコネクタに保守端末２２を接続してデータ収集する場合でも保守端末２２の盗難を防ぐことができる。
【００７７】
また、運行データ２１ａの収集に限らず、要は特定の場所に保守端末２２を置いて保守点検に必要なデータを収集する状況であれば、そのすべてに適用可能である。
【００７８】
また、エレベータ制御装置２１と保守端末２２との接続形態は有線でも無線でも良い。無線の場合にはＢｌｕｅｔｏｏｔｈ（登録商標）等の近距離無線通信が用いられる。
【００７９】
さらに、エレベータだけでなく、エスカレータ等の他の昇降機を保守点検する場合も同様であり、保守端末２２をその昇降機の制御装置に接続してデータ収集する場合に保守端末２２の盗難を防ぐことができる。
【００８０】
要するに、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
１１…乗場、１２…乗場ドア、１３…乗場操作盤、１４…乗場呼びボタン、１５…点検ボックス、１６…コネクタ、２１…エレベータ制御装置、２１ａ…運行データ、２２…保守端末、２３…携帯端末、３１…制御部、３１ａ…通信遮断検出部、３１ｂ…ブザー起動部、３１ｃ…異常通知部、３１ｄ…ブザー解除部、３１ｅ…保守員判断部、３２…記憶部、３３…ブザー音発生部、３４…通信部、４１…入力部、４２…表示部、４３…制御部、４３ａ…ブザー起動部、４３ｂ…ブザー解除部、４３ｃ…位置表示部、４４…ブザー音発生部、４５…記憶部、４６…ＧＰＳモジュール、４７…通信部、Ｔ１…ブザー発生履歴テーブル。
【図１】
2018118819.tif 000003
【図２】
2018118819.tif 000004
【図３】
2018118819.tif 000005
【図４】
2018118819.tif 000006
【図５】
2018118819.tif 000007
【図６】
2018118819.tif 000008
【図７】
2018118819.tif 000009
【図８】
2018118819.tif 000010
【図９】
2018118819.tif 000011
【図１０】
2018118819.tif 000012
【手続補正書】
【提出日】平成30年2月1日(2018.2.1)
【手続補正１】
【補正対象書類名】特許請求の範囲
【補正対象項目名】全文
【補正方法】変更
【補正の内容】
【特許請求の範囲】
【請求項１】
昇降機の制御装置に通信接続して保守点検に必要なデータを収集する第１の端末装置を備えた保守点検システムにおいて、
上記データ収集の開始操作を受け付けた後、上記データ収集の完了前に、上記制御装置と上記第１の端末装置との間の上記データ収集のためのデータ通信が所定の時間以上遮断されたことを検出する通信遮断検出手段と、
この通信遮断検出手段によって上記制御装置と上記第１の端末装置との間の通信遮断が検出された場合に上記第１の端末装置のブザー機能を起動するブザー起動手段と
を具備したことを特徴とする保守点検システム。
【請求項２】
上記第１の端末装置のブザー機能が起動されたときに、保守員が持つ第２の端末装置に異常通知を行う異常通知手段をさらに具備したことを特徴とする請求項１記載の保守点検システム。
【請求項３】
上記第２の端末装置から停止指示信号を上記第１の端末装置に送信することで、上記第１の端末装置のブザー機能を解除するブザー解除手段をさらに具備したことを特徴とする請求項２記載の保守点検システム。
【請求項４】
上記第１の端末装置の位置を検出する位置検出手段をさらに備え、
上記異常通知手段は、
上記第１の端末装置のブザー機能が起動されたときに、保守員が持つ第２の端末装置に異常通知と共に上記位置検出手段によって検出された上記第１の端末装置の位置を上記第２の端末装置に通知することを特徴とする請求項２記載の保守点検システム。
【請求項５】
上記第１の端末装置のブザー機能が起動されたときに、発生日時と設置場所をブザー発生の履歴情報として記録する記録手段をさらに具備したことを特徴とする請求項１記載の保守点検システム。
【請求項６】
昇降機の制御装置に通信接続して保守点検に必要なデータを収集する第１の端末装置を備えた保守点検システムにおいて、
上記データ収集の開始操作を受け付けた後、上記データ収集の完了前に、上記制御装置と上記第１の端末装置との間の上記データ収集のためのデータ通信が所定の時間以上遮断されたことを検出する通信遮断検出手段と、
上記第１の端末装置と保守員が持つ第２の端末装置との間で所定の範囲内で近距離無線通信を行う通信手段と、
この通信手段の通信状態から上記第１の端末装置の近くに保守員がいるか否かを判断する保守員判断手段と、
上記通信遮断検出手段によって上記制御装置と上記第１の端末装置との間の通信遮断が検出されたとき、上記保守員判断手段によって上記第１の端末装置の近くに保守員がいないと判断された場合に、上記第１の端末装置のブザー機能を起動するブザー起動手段と
を具備したことを特徴とする保守点検システム。
【請求項７】
上記第１の端末装置のブザー機能が起動された状態で、上記保守員判断手段によって上記第１の端末装置の近くに保守員がきたと判断された場合に、上記第１の端末装置のブザー機能を解除するブザー解除手段をさらに具備したことを特徴とする請求項６記載の保守点検システム。
【手続補正２】
【補正対象書類名】明細書
【補正対象項目名】０００７
【補正方法】変更
【補正の内容】
【０００７】
上記保守点検システムは、データ収集の開始操作を受け付けた後、上記データ収集の完了前に、上記制御装置と上記第１の端末装置との間の上記データ収集のためのデータ通信が所定の時間以上遮断されたことを検出する通信遮断検出手段と、この通信遮断検出手段によって上記制御装置と上記第１の端末装置との間の通信遮断が検出された場合に上記第１の端末装置のブザー機能を起動するブザー起動手段とを具備する。
【手続補正３】
【補正対象書類名】明細書
【補正対象項目名】００４６
【補正方法】変更
【補正の内容】
【００４６】
第２の実施形態において、第１の端末装置である保守端末２２には、位置検出部３５が備えられている。位置検出部３５は、ＧＰＳモジュールからなり、保守端末２２の現在位置を検出する。制御部３１の異常通知部３１ｃは、保守端末２２のブザー機能が起動されたときに、保守員が持つ携帯端末２３に異常通知と共に上記位置検出部３５によって検出された保守端末２２の位置を携帯端末２３に通知する機能を有する。
【手続補正４】
【補正対象書類名】明細書
【補正対象項目名】００６７
【補正方法】変更
【補正の内容】
【００６７】
すなわち、携帯端末２３と保守端末２２は所定の通信範囲内で通信を行うので、通信可能な状態であれば、保守員が保守端末２２の近くにいると判断できる。一方、通信不可の状態であれば、保守員が保守端末２２の近くにいないと判断できる。つまり、保守員が保守端末２２から通信範囲外に離れていると判断できる。
【手続補正５】
【補正対象書類名】明細書
【補正対象項目名】００７０
【補正方法】変更
【補正の内容】
【００７０】
また、通信遮断によりブザー機能が起動されたとき、保守端末２２の制御部３１は、保守端末２２に異常が発生したことを示す異常検出信号を無線通信により携帯端末２３に送信する（ステップＤ１５）。なお、このときは保守員が保守端末２２の近くにいないので、携帯端末２３から保守端末２２への異常検出信号の送信は、通信ネットワーク介して無線通信で行うものとする。
【手続補正６】
【補正対象書類名】明細書
【補正対象項目名】００７３
【補正方法】変更
【補正の内容】
【００７３】
このように第３の実施形態によれば、データ収集中に通信が遮断された場合に、保守員が保守端末２２の近くにいない場合に保守端末２２のブザー機能を起動して保守員に異常を知らせることができる。これにより、保守員が保守端末２２から離れた場所で他の作業しているときに保守端末２２の盗難を防ぐことができる。また、保守員が保守端末２２に近付くだけで、ブザー機能を自動的に解除することができる。